(57)【要約】      （修正有）【課題】光電変換部に高いレベルの光信号が入力された場合でも非線形歪みの発生を防止する。【解決手段】光受信機１は、光信号を複数の光信号に分岐し、当該分岐した複数の光信号を第２の光伝送路１６ａ〜１６ｄを介して出力する光分岐カプラ１５と、光分岐カプラ１５と第２の光伝送路１６ａ〜１６ｄを介して接続された第１の光電変換回路３１ａ〜第４の光電変換回路３１ｄであって、分岐された光信号を電気信号に変換する第１の光電変換回路３１ａ〜第４の光電変換回路３１ｄと、第１の光電変換回路３１ａ〜第４の光電変換回路３１ｄの各々と第１の伝送線路３２ａ〜３２ｄを介して接続された電気信号合成部３３であって、変換された複数の電気信号を合成する電気信号合成部３３とを備え、第２の光伝送路１６ａ〜１６ｄを相互に略同一の長さに形成すると共に、第１の伝送線路３２ａ〜３２ｄを相互に略同一の長さに形成している。【選択図】図２
2014116858.tif 000002
【特許請求の範囲】
【請求項１】
光信号を受信して電気信号に変換する光受信機であって、
前記光信号を複数の光信号に分岐し、当該分岐した複数の光信号を複数の光伝送路を介して出力する光信号分岐手段と、
前記光信号分岐手段と前記複数の光伝送路を介して接続された複数の光電変換手段であって、前記光信号分岐手段にて分岐された光信号を電気信号に変換する複数の光電変換手段と、
前記複数の光電変換手段の各々と複数の伝送線路を介して接続された電気信号合成手段であって、前記複数の光電変換手段にて変換された複数の電気信号を合成する電気信号合成手段と、
前記電気信号合成手段にて前記複数の電気信号が合成される際に、当該複数の電気信号の位相が同調するように、前記複数の光信号の少なくとも一部の位相、又は当該複数の電気信号の少なくとも一部の位相を調整するための位相調整手段と、
を備えた光受信機。
【請求項２】
前記位相調整手段は、
相互に略同一の長さに形成された前記複数の伝送線路を含む、
請求項１に記載の光受信機。
【請求項３】
前記位相調整手段は、
相互に略同一の長さに形成された前記複数の光伝送路を含む、
請求項１又は２に記載の光受信機。
【請求項４】
前記位相調整手段は、
前記複数の伝送線路のうち、前記複数の電気信号の少なくとも一部を伝送する伝送線路に設けられた位相調整器であって、当該伝送線路によって伝送された電気信号の位相を調整する位相調整器を含む、
請求項１から３のいずれか一項に記載の光受信機。
【請求項５】
前記複数の光電変換手段を、相互に並列接続した、
請求項１から４のいずれか一項に記載の光受信機。
【発明の詳細な説明】
【技術分野】
【０００１】
本発明は、光受信機に関し、特にセンターからのテレビ放送や告知放送等を光伝送路を介して受信して電気信号に変換して出力するＣＡＴＶ用光受信機に関する。
【背景技術】
【０００２】
従来から、光ケーブルを用いた光伝送システムが普及している。この光伝送システムによれば、数１０Ｋｍ程度の無中継伝送が可能となるため、伝送システムを容易に広域化できる。この光伝送システムは、概略的には、送信者側に配置した光送信機と、受信者側に配置した光受信機（ＯＮＵ：Ｏｐｔｉｃａｌ  Ｎｅｔｗｏｒｋ  Ｕｎｉｔ）とを、光ケーブルにて構成された長距離用の光伝送路を介して接続して構成されている。そして、送信者側においてＴＶ信号が混合され、この混合された電気信号が光送信機によって光信号に変換され、この光信号が光伝送路を介して光受信機に送信される。また、この光受信機では、光信号が電気信号に変換されて、テレビ受像機に出力される。具体的には、この光受信機には、光信号を電気信号に変換するためのＰＤ（Ｐｈｏｔｏ  Ｄｉｏｄｅ）を含む光電変換回路が組み込まれており、このＰＤに逆電圧を印加することで、ＰＤに入射した光エネルギーの光強度変化に比例した電流（逆電流）が流れ、光電変換を行うことができる。そして、このＰＤにて変換された電気信号における交流成分をコンデンサによるＡＣ結合によって取り出されて、出力端子に出力される（例えば、特許文献１参照）。
【０００３】
また、近年のケーブルテレビの光受信機においては、停電時であってもセンターから送信するテレビ放送信号やセキュリティ放送信号などの各種信号を受信機側のユーザに供給できるように、電源供給を必要とせずに光電変換可能な光電変換回路で光／電気変換した信号を外部機器に出力できる所謂無給電型光受信機というものがある。この無給電型光受信機は電源を持たないために、電源が必要な高周波増幅器などを備えていない。そのため光電変換回路の出力信号は増幅されずに外部機器に信号出力される。（例えば、特許文献２参照）。
【先行技術文献】
【特許文献】
【０００４】
【特許文献１】特開２００６−１７４２１１号公報
【特許文献２】特開２００９−０３３４０５号公報
【発明の概要】
【発明が解決しようとする課題】
【０００５】
このような光受信機においては、ＰＤを備える光電変換回路に制限値以上の高いレベルの光信号が入力された場合に、光電変換回路から出力される電気信号に歪みが発生する。特にＯＦＤＭ信号による地上デジタル放送信号にあっては歪みの影響を受けやすく、テレビ受像機において放送が映らなくなるという問題が生じる。そのため、光電変換回路に入力する光信号のレベルは歪み等が発生しないように、所定の限られた範囲内のレベルの信号を入力するよう規定されている。無給電型光受信機においては、高周波の増幅部を備えていないため、光電変換回路からできるだけ高い信号レベルで出力したいが、そのためには極力高い光入力レベルを光電変換回路に入力することが望ましい。しかしその反面、入力レベルが高くなるほど、出力信号のＳＮ比や非線形歪みの影響を受けやすくなるという問題があった。
【０００６】
光電変換回路に制限値以上の高いレベルの光信号が入力された場合でも非線形歪みの影響を受けないようにするための対策例として、光電変換回路の前段に減衰器を挿入して光信号の入力レベルを減衰させることもあるが、それでは単に信号の損失となるだけであり、エネルギーの伝送方法としては非効率である。
【０００７】
本発明は、上記に鑑みてなされたものであって、光電変換部に高いレベルの光信号が入力された場合でも非線形歪みの発生を防止して所望の出力レベルの信号が出力可能となる、光受信機を提供することを目的とする。
【課題を解決するための手段】
【０００８】
上述した課題を解決し、目的を達成するために、請求項１に記載の光受信機は、光信号を受信して電気信号に変換する光受信機であって、前記光信号を複数の光信号に分岐し、当該分岐した複数の光信号を複数の光伝送路を介して出力する光信号分岐手段と、前記光信号分岐手段と前記複数の光伝送路を介して接続された複数の光電変換手段であって、前記光信号分岐手段にて分岐された光信号を電気信号に変換する複数の光電変換手段と、前記複数の光電変換手段の各々と複数の伝送線路を介して接続された電気信号合成手段であって、前記複数の光電変換手段にて変換された複数の電気信号を合成する電気信号合成手段と、前記電気信号合成手段にて前記複数の電気信号が合成される際に、当該複数の電気信号の位相が同調するように、前記複数の光信号の少なくとも一部の位相、又は当該複数の電気信号の少なくとも一部の位相を調整するための位相調整手段と、を備えている。
【０００９】
また、請求項２に記載の光受信機は、請求項１に記載の光受信機において、前記位相調整手段は、相互に略同一の長さに形成された前記複数の伝送線路を含む。
【００１０】
また、請求項３に記載の光受信機は、請求項１又は２に記載の光受信機において、前記位相調整手段は、相互に略同一の長さに形成された前記複数の光伝送路を含む。
【００１１】
また、請求項４に記載の光受信機は、請求項１から３のいずれか一項に記載の光受信機において、前記位相調整手段は、前記複数の伝送線路のうち、前記複数の電気信号の少なくとも一部を伝送する伝送線路に設けられた位相調整器であって、当該伝送線路によって伝送された電気信号の位相を調整する位相調整器を含む。
【００１２】
また、請求項５に記載の光受信機は、請求項１から４のいずれか一項に記載の光受信機において、前記複数の光電変換手段を、相互に並列接続している。
【発明の効果】
【００１３】
請求項１に記載の光受信機によれば、光信号を複数の光伝送路に分岐した後、複数の光電変換手段で電気信号に変換し、電気信号合成手段にて複数の電気信号を合成する構成とし、さらに電気信号合成手段で合成する際に、当該複数の電気信号の位相が同調するように、複数の光信号の少なくとも一部の位相、又は当該複数の電気信号の少なくとも一部の位相を調整するための位相調整手段を備えたので、電気信号合成手段に入力される複数の電気信号の位相のずれを抑えることができ、電気信号合成手段にて合成される電気信号のレベルを所定レベルに維持することができる。よって、この電気信号に含まれるＴＶ信号をテレビ受像機に歪みの影響を抑えて伝えることが可能となる。
【００１４】
また、請求項２に記載の光受信機によれば、位相調整手段は、相互に略同一の長さに形成された複数の伝送線路を含むので、電気信号合成手段に入力される複数の電気信号の位相のずれを抑えるための特殊な部品を備える必要がなくなり、当該光受信機の製造コストを抑えることができる。
【００１５】
また、請求項３に記載の光受信機によれば、位相調整手段は、相互に略同一の長さに形成された複数の光伝送路を含むので、各光電変換手段に入力される光信号の位相のずれを抑えるための特殊な部品を備える必要がなくなり、当該光受信機の製造コストを抑えることができる。
【００１６】
また、請求項４に記載の光受信機によれば、位相調整手段は、複数の伝送線路のうち、複数の電気信号の少なくとも一部を伝送する伝送線路によって伝送された電気信号の位相を調整する位相調整器を含むので、位相調整手段を複数の伝送線路にて形成した場合に比べて、複数の伝送線路を介して電気信号合成手段に出力される電気信号の位相のずれを正確に抑えることができ、電気信号合成手段にて合成される電気信号のレベルを所定レベルに安定して維持することができる。
【００１７】
また、請求項５に記載の光受信機によれば、複数の光電変換手段を相互に並列接続したので、複数の光電変換手段を相互に直列接続した場合に比べて、光受信機に内蔵された回路基板を流れる電流のレベルを増大させることができる。
【図面の簡単な説明】
【００１８】
【図１】実施の形態１に係る光受信機を示す概要図である。
【図２】実施の形態１に係る光受信機の構成を示すブロック図である。
【発明を実施するための形態】
【００１９】
以下に添付図面を参照して、この発明に係る光受信機に係る実施の形態を詳細に説明する。最初に、光受信機の構成を説明し、次に、この光受信機の動作について説明し、最後に実施の形態に対する変形例について説明する。ただし、これら実施の形態によって本発明が限定されるものではない。なお、実施の形態に係る光受信機の設置対象や適用対象は任意であるが、以下では、住戸の屋外に設置された光受信機に適用した場合を例として説明を行う。
【００２０】
〔実施の形態１〕
まず、実施の形態１について説明する。この形態は、ケーブルテレビのセンター装置から光伝送路を介してテレビ放送等を含む光信号を受信して、複数の光伝送路に分岐し、それぞれの光伝送路に備えた光電変換手段で光電変換した後、電気信号を合成する光受信機であり、さらに各電気信号の位相調整を所定の長さに形成された複数の伝送線路及び複数の光伝送路とした形態である。
【００２１】
（構成）
図１は、実施の形態１に係る光受信機を示す概要図である。図２は、実施の形態１に係る光受信機の構成を示すブロック図である。なお、以下の説明においては、図１のＸ方向を左右方向（又は幅方向）、図１のＹ方向を前後方向、図１のＺ方向を上下方向（又は高さ方向）とする。光受信機１は、一般家屋等の屋外の壁面等に設置された筐体（図示省略）の内部に収容されており、光通信網に接続される装置である。具体的には、光受信機１は、図１に示す筐体２０の外部において、光送信機（図示省略）と光伝送路１１（具体的には光ファイバ等である。なお、後述する第１の光伝送路１４、第２の光伝送路１６ａ〜１６ｄについても同様とする。）を介して接続されていると共に、テレビ受像機（図示省略）と伝送線路４０（具体的には同軸ケーブル、回路基板上の信号線路等である。なお、後述する第１の伝送線路３２ａ〜３２ｄ、第２の伝送線路３４についても同様とする。）を介して接続されている。また、この光受信機１は、光伝送路系統１０と、回路基板３０とを備えて構成されている。
【００２２】
（構成−光伝送路系統）
光伝送路系統１０は、光送信機から送信された光信号を光受信機１に伝送する伝送処理を行う系統である。具体的には、図１、２に示すように、光伝送路系統１０は、図１に示す筐体２０の外部に配置されており、光入力端子１３と、第１の光伝送路１４と、光分岐カプラ１５と、第２の光伝送路１６ａ〜１６ｄと、光コネクタ１７ａ〜１７ｄとを備えて構成されている。
【００２３】
光入力端子１３は、光伝送路１１に接続された光出力端子１２から出力された光信号の入力を受け付ける端子である。具体的には、図１、２に示すように、光入力端子１３は、例えば公知のオス型の光入力端子で構成されており、光出力端子１２（例えば、公知のオス型の光出力端子）とメス型コネクタを介して着脱自在に接続されていると共に、第１の光伝送路１４とも接続されている。
【００２４】
第１の光伝送路１４は、光入力端子１３から入力された光信号を光分岐カプラ１５に伝送する光伝送路である。
【００２５】
光分岐カプラ１５は、第１の光伝送路１４によって伝送された光信号を複数の光信号に分岐し（本実施形態においては４つの光信号に分岐する）、当該分岐した複数の光信号を第２の光伝送路１６ａ〜１６ｄを介して出力する光信号分岐手段である。具体的には、図１、２に示すように、光分岐カプラ１５は、例えば公知の光分岐カプラで構成されており、第１の光伝送路１４と接続されていると共に、第２の光伝送路１６ａ〜１６ｄとも接続され、第１の光伝送路１４で受信した光信号を第２の光伝送路１６ａ〜１６ｄに均等に分岐する。
【００２６】
第２の光伝送路１６ａ〜１６ｄは、光分岐カプラ１５にて分岐された複数の光信号を、光コネクタ１７ａ〜１７ｄに伝送する光伝送路であり、全て同じ線路長である。
【００２７】
光コネクタ１７ａ〜１７ｄは、第２の光伝送路１６ａ〜１６ｄによって伝送された光信号を出力する端子である。具体的には、光コネクタ１７ａ〜１７ｄの各々は、例えば公知のオス型の光コネクタで構成されており、対応する第２の光伝送路１６ａ〜１６ｄのいずれか一つと接続されている。なお、光入力端子１３、第１の光伝送路１４、光分岐カプラ１５、第２の光伝送路１６ａ〜１６ｄ及び光コネクタ１７ａ〜１７ｄは、光伝送損失のばらつきをなくすため一体物としたほうがよい。
【００２８】
（構成−筐体）
筐体２０は、光コネクタ１７ａ〜１７ｄと着脱可能なコネクタを配置し、回路基板３０を外部から保護する保護手段である。具体的には、図１、２に示すように、筐体２０は、例えば金属板を変形して形成しており、一側面（例えば、筐体２０の上面等）を開放した略箱形状のベース部２１と、このベース部２１をその開放面側から略覆うカバー部２２とを備えて構成されている。また、このカバー部２２は、ベース部２１に対して固定具等にて固定されている。
【００２９】
また、このベース部２１の前方側の側面には、端子孔２３が形成されており、この端子孔２３を介して、後述する回路基板３０の同軸コネクタである出力端子３５が筐体２０の外部に露出されている。これにより、この出力端子３５に同軸ケーブルである伝送線路４０を容易に接続することができる。
【００３０】
また、このカバー部２２には、光コネクタ２４ａ〜２４ｄが一列に設けられている。光コネクタ２４ａ〜２４ｄは、光伝送路系統１０から伝送された光信号の入力を受け付ける光コネクタ端子である。具体的には、図１に示すように、光コネクタ２４ａ〜２４ｄは、例えば公知のメス型の光コネクタで構成されており、筐体２０の外部に露出された状態で配置され、カバー部２２に対して固定具等にて固定されている。また、これら光コネクタ２４ａ〜２４ｄの各々は、対応する光伝送路系統１０の光コネクタ１７ａ〜１７ｄのいずれか一つと着脱自在に接続されていると共に、後述する回路基板３０の第１の光電変換回路３１ａ〜第４の光電変換回路３１ｄのうち、対応する第１の光電変換回路３１ａ〜第４の光電変換回路３１ｄのいずれか一つとカバー部２２に設けられた開口（図示省略）を介して接続されている。光コネクタ２４ａ〜２４ｄと第１の光電変換回路３１ａ〜第４の光電変換回路３１ｄは光ファイバを介して接続されてもよいし、第１の光電変換回路３１ａ〜第４の光電変換回路３１ｄと光コネクタ２４ａ〜２４ｄが一体の部品であってもよい。
【００３１】
（構成−回路基板）
回路基板３０は、光受信機１の各種機能を実現するための電気回路（図示省略）が実装された基板である。具体的には、回路基板３０は、筐体２０の内部に収容されており、ベース部２１に対して固定具や嵌合構造等によって固定されている。また、図２に示すように、この回路基板３０には、従来の光受信機に用いられるものと同様の公知の電子部品が実装されていると共に、第１の光電変換回路３１ａ〜第４の光電変換回路３１ｄと、第１の伝送線路３２ａ〜３２ｄと、電気信号合成部３３と、第２の伝送線路３４と、出力端子３５とが実装されている。
【００３２】
第１の光電変換回路３１ａ〜第４の光電変換回路３１ｄは、対応する光コネクタ２４ａ〜２４ｄのいずれか一つから出力された光信号を電気信号に光電変換する光電変換手段である。具体的には、第１の光電変換回路３１ａ〜第４の光電変換回路３１ｄは、例えば、公知の光電変換回路で構成されており、ＰＤを備えて無給電で駆動可能なものであって、逆電圧を印加することなく光電変換が行えるように、逆電圧の印加のない無バイアスモード（例えば太陽電池モード等）で使用される。例えば、ＰＤのアノードとカソードをコイルで短絡させ直流成分を環流するとともに、ＰＤに直列にコンデンサを介して出力端に接続することで、無バイアスで光電変換して出力端からテレビ信号を出力できる回路からなる。
【００３３】
第１の光電変換回路３１ａ〜第４の光電変換回路３１ｄは、同一の光電変換特性を有する必要があるため、同一の回路構成で構成し電気信号を出力する。これら第１の光電変換回路３１ａ〜第４の光電変換回路３１ｄは、回路基板３０上に配置され、回路基板３０に対してハンダ付けにより接続されている。また、図２に示すように、これら第１の光電変換回路３１ａ〜第４の光電変換回路３１ｄの各々は、対応する第１の伝送線路３２ａ〜３２ｄのいずれか一つと電気的に接続されている。これにより、光分岐カプラ１５と電気信号合成部３３との相互間において、第１の光電変換回路３１ａ〜第４の光電変換回路３１ｄは並列接続されることになる。
【００３４】
第１の伝送線路３２ａ〜３２ｄは、第１の光電変換回路３１ａ〜第４の光電変換回路３１ｄにて光電変換された電気信号を、電気信号合成部３３に伝送する伝送線路である。具体的には、第１の伝送線路３２ａ〜３２ｄは、回路基板３０上に公知のプリント配線として実装されている（なお、第２の伝送線路３４についても同様とする）。第１の伝送線路３２ａ〜３２ｄは同一の線路長となっている。
【００３５】
電気信号合成部３３は、第１の伝送線路３２ａ〜３２ｄによって伝送された複数の電気信号を合成する電気信号合成手段である。具体的には、電気信号合成部３３は、例えば公知の混合回路で構成されており、回路基板３０上に配置され、回路基板３０に対してハンダ付けにより接続されている。また、図２に示すように、この電気信号合成部３３は、第１の伝送線路３２ａ〜３２ｄと電気的に接続されていると共に、第２の伝送線路３４とも電気的に接続されている。
【００３６】
第２の伝送線路３４は、電気信号合成部３３にて合成された電気信号を出力端子３５に伝送する伝送線路である。
【００３７】
出力端子３５は、第２の伝送線路３４によって伝送された電気信号を伝送線路４０を介してテレビ受像機に出力する端子である。具体的には、出力端子３５は同軸コネクタである。
【００３８】
（構成−第２の光伝送路及び第１の伝送線路の構成について）
ここで、第２の光伝送路１６ａ〜１６ｄ及び第１の伝送線路３２ａ〜３２ｄの構成においては、下記に示す工夫が施されている。
【００３９】
上述したように、光分岐カプラ１５と電気信号合成部３３との相互間において、第１の光電変換回路３１ａ〜第４の光電変換回路３１ｄは並列接続している。ここで、例えば、第１の光電変換回路３１ａ〜第４の光電変換回路３１ｄの各々に対応する、光分岐カプラ１５から電気信号合成部３３までの伝送距離（例えば、第１の光電変換回路３１ａにおける伝送距離としては、第２の光伝送路１６ａの長さと、第１の伝送線路３２ａの長さとの総和等）がそれぞれ異なる場合には、電気信号合成部３３に入力される電気信号の位相がずれることになり、電気信号合成部３３にて合成された電気信号のレベルが低下する原因となり、この電気信号に含まれるＴＶ信号をテレビ受像機に正しく伝えることができない可能性がある。そこで、実施の形態１では、第２の光伝送路１６ａ〜１６ｄ、及び第１の伝送線路３２ａ〜３２ｄは、電気信号合成部３３に入力される電気信号の位相のずれを抑えるための位相調整手段として構成している。
【００４０】
具体的には、図２に示すように、第２の光伝送路１６ａ〜１６ｄの構成については、相互に略同一の長さとなるように形成している。これにより、光分岐カプラ１５から第２の光伝送路１６ａ〜１６ｄを介して第１の光電変換回路３１ａ〜第４の光電変換回路３１ｄに入力される光信号の位相を同調させることができる。また、光受信機１は、これら光信号の位相を同調させるための特殊な部品を備えなくてもよい。
【００４１】
また、図２に示すように、第１の伝送線路３２ａ〜３２ｄの構成については、プリント基板上の第１の伝送線路３２ａ〜３２ｄの線路長を相互に略同一の長さとなるように形成している。例えば第１の光電変換回路３１ａ〜第４の光電変換回路３１ｄが図１のように横一列に並べられ、回路基板上の電気信号合成部３３が基板の中央付近に備えられていた場合に、仮に、第２の光電変換回路３１ｂと電気信号合成部３３とが第１の伝送線路３２ｂによって直線的に結ばれ、第３の光電変換回路３１ｃと電気信号合成部３３とが第１の伝送線路３２ｃによって直線的に結ばれた場合には、第１の伝送線路３２ａが第１の伝送線路３２ｂの配線の外側を回る配線パターンとなり、また第１の伝送線路３２ｄが第１の伝送線路３２ｃの配線の外側を回る配線パターンとなるため、第１の伝送線路３２ａ、３２ｄの長さが第１の伝送線路３２ｂ、３２ｃより比べて長くなってしまう。そこで、本実施の形態においては、第１の伝送線路３２ａ〜３２ｄから電気信号合成部３３までの各線路長が略同一となるように、第１の伝送線路３２ｂ、３２ｃを、複数回折り返された迂回した線路パターンとして形成する。これにより、第１の光電変換回路３１ａ〜第４の光電変換回路３１ｄから第１の伝送線路３２ａ〜３２ｄを介して電気信号合成部３３に入力される電気信号の位相を同調させることができる。また、光受信機１は、これら電気信号の位相を同調させるための特殊な部品を備えなくてもよい。
【００４２】
（光受信機の動作）
次に、上述のように構成された光受信機１の動作について説明する。
【００４３】
まず、ＣＡＴＶセンター側の光送信機から送信されたテレビ信号を含む光信号は、光伝送路１１及び光出力端子１２を介して光入力端子１３に入力される。次いで、光入力端子１３に入力された光信号は、第１の光伝送路１４を介して光分岐カプラ１５に出力される。
【００４４】
次に、光分岐カプラ１５に入力された光信号は、当該光分岐カプラ１５によって４つの光信号に分岐され、当該分岐された４つの光信号は、第２の光伝送路１６ａ〜１６ｄを介して対応する光コネクタ１７ａ〜１７ｄにそれぞれ出力される。例えば、光分岐カプラ１５にて分岐された光信号の一つは、第２の光伝送路１６ａを介して光コネクタ１７ａに出力される。この場合において、第２の光伝送路１６ａ〜１６ｄが相互に略同一の長さにて形成されているので、光コネクタ１７ａ〜１７ｄに出力された４つの光信号の位相は同調される。
【００４５】
次いで、光コネクタ１７ａ〜１７ｄに入力された各光信号は、対応する光コネクタ２４ａ〜２４ｄのいずれか一つを介して対応する第１の光電変換回路３１ａ〜第４の光電変換回路３１ｄのいずれか一つに出力される。例えば、光コネクタ１７ａに入力された光信号は、光コネクタ２４ａを介して第１の光電変換回路３１ａに出力される。
【００４６】
次に、第１の光電変換回路３１ａ〜第４の光電変換回路３１ｄに入力された各光信号は、対応する第１の光電変換回路３１ａ〜第４の光電変換回路３１ｄのいずれか一つによって電気信号に光電変換される。第１の光電変換回路３１ａ〜第４の光電変換回路３１ｄは同一回路構成であるため、同一の光電変換特性で電気信号に変換される。そして、この光電変換された各電気信号は、対応する第１の伝送線路３２ａ〜３２ｄを介して電気信号合成部３３にそれぞれ出力される。例えば、逆電圧が印加されていない第１の光電変換回路３１ａに、光分岐カプラ１５から光コネクタ２４ａを介して所定の大きさの光エネルギーが入射されると、この光エネルギーが空乏層で吸収され、伝導電子と正孔との生成及びドリフトが行われることにより、光強度に比例した起電力が発生する。そして、第１の光電変換回路３１ａで発生した起電力によりテレビ信号が、第１の伝送線路３２ａを介して電気信号合成部３３に流れる。この場合において、第１の伝送線路３２ａ〜３２ｄが相互に略同一の長さにて形成されているので、電気信号合成部３３に出力された４つの電気信号の位相は同調される。
【００４７】
続いて、電気信号合成部３３に入力された４つの電気信号は、当該電気信号合成部３３によって合成される。そして、この合成された電気信号は、第２の伝送線路３４及び出力端子３５を介してテレビ受像機に出力される。
【００４８】
このような動作により、単一の光電変換回路の場合に比べて、光送信機から送信される光信号のレベルを高くすることができるので（具体的には、単一の光電変換回路の場合に比べて、上記実施の形態１の４分岐の場合は光信号のレベルを６ｄＢ程度高くすることができる）、出力端子３５からレベルの高い電気信号を歪みの影響を抑えてテレビ受像機に出力することができる（具体的には、単一の光電変換回路の場合に比べて、電気信号のレベルを４倍程度高くすることができる）。
【００４９】
（効果）
このように実施の形態１によれば、従来の単一の光電変換手段を備える光受信機よりも高い光信号レベルを光受信機に入力し、光信号を複数の伝送路に分岐することで各光電変換手段にて歪みが生じない所定の光信号レベルに抑えた上で各々光電変換し、各電気信号を合成して信号レベルを高めて出力する構成としたことで、従来の単一の光電変換素子による電気信号の出力よりも高い信号レベルで信号出力することができる。また各電気信号の位相ズレを防ぐために、位相調整手段を、相互に略同一の長さとなるように形成された第２の光伝送路１６ａ〜１６ｄと、相互に略同一の長さに形成された第１の伝送線路３２ａ〜３２ｄとしたので、第１の光電変換回路３１ａ〜第４の光電変換回路３１ｄから第１の伝送線路３２ａ〜３２ｄを介して電気信号合成部３３に入力される電気信号の位相を同調させることができ、電気信号合成部３３にて合成される電気信号に含まれるＴＶ信号をテレビ受像機に高レベルで正しく伝えることが可能となる。また、これら電気信号の位相を同調させるための特殊な部品を備える必要がない。
【００５０】
また、第１の光電変換回路３１ａ〜第４の光電変換回路３１ｄを相互に並列接続したので、第１の光電変換回路３１ａ〜第４の光電変換回路３１ｄを相互に直列接続した場合に比べて、回路基板３０を流れる電流のレベルを増大させることができる。
【００５１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、位相調整手段が、第１の伝送線路３２ａ〜３２ｄを介して電気信号合成部３３に出力される複数の電気信号の位相を正確に同調することができない場合であっても、複数の電気信号の位相の同調を、従来とは異なる技術により従来と同様に達成できている場合には、本願発明の課題が解決されている。
【００５３】
（光受信機の設置について）
上記実施の形態１では、光受信機は、住戸の屋外に設置されていると説明したが、例えば、光受信機は、住戸の屋内に設置されてもよい。
【００５４】
（光伝送路系統について）
上記実施の形態１では、図１に示すように、光伝送路系統１０は、筐体２０の外部に配置されていると説明したが、例えば、光伝送路系統１０の一部が筐体２０の内部に収容されてもよい。具体的には、光伝送路系統１０の構成要素のうち、第１の光伝送路１４以外の構成要素は、筐体２０の内部に収容されてもよい。
【００５５】
（光電変換回路の使用状態について）
上記実施の形態１では、第１の光電変換回路３１ａ〜第４の光電変換回路３１ｄは、逆電圧の印加のない無バイアスモードで使用されると説明したが、例えば、給電を受けて駆動させるものであって、逆電圧が印加された状態で使用されてもよい。
【００５６】
（光電変換回路の個数について）
上記実施の形態１では、回路基板３０は、第１の光電変換回路３１ａ〜第４の光電変換回路３１ｄを備えていると説明したが、これに限られない。例えば、回路基板３０は、光送信機から送信される光信号のレベルに応じた個数の光電変換回路を備えてもよい。具体的には、上記実施の形態１においては、光送信機から送信される光信号のレベルが所定レベルよりも低い場合には、回路基板３０は光電変換回路を２つ、又は３つ備えてもよい（なお、光分岐カプラ１５による光信号の分岐や電気信号合成部３３による混合の際に生じるレベルの損失を抑制することを考慮すると、光電変換回路の個数を減らすことが好ましい）。あるいは、光送信機から送信される光信号のレベルが所定レベルよりも高い場合には、回路基板３０は光電変換回路を４つ以上備えてもよい。これらの場合において、第２の光伝送路及び第１の伝送線路の個数も、光電変換回路の個数に応じて変更される。
【００５７】
（位相調整手段について）
上記実施の形態１では、第１の伝送線路３２ａ〜３２ｄを全て同一の線路長とするために、第１の伝送線路３２ｂと３２ｃの線路パターンを折り返すと説明したが、これに限らず、図１に示したような第１の光電変換回路３１ａ〜第４の光電変換回路３１ｄを左右一列に配置する構成ではなく、配線パターンを外側に形成する第１の光電変換回路３１ａと第４の光電変換回路３１ｄは、第２の光電変換回路３１ｂや第３の光電変換回路３１ｃよりも電気信号合成部３３側に近づけた配置としてもよい。そして第１の伝送線路３２ｂ、３２ｃは直線の線路パターンとして、全て同一線路長に構成することでもよい。
他に、電気信号合成部３３を中心として周囲に光電変換回路を複数配置する構成として、第１の伝送線路３２ａ〜３２ｄを全て同一の線路長とする構成としてもよい。
【００５８】
（位相調整手段について）
また、上記実施の形態１においては、第１の伝送線路３２ａ〜３２ｄを全て同一の線路長にして位相を同調する構成を示したが、これに限らず、第１の伝送線路３２ａ〜３２ｄ上に公知の位相調整器を挿入して、相互の位相が同調するように回路的に調整する様にしてもよい。例えば、線路パターンが短くなる第１の伝送線路３２ｂ、３２ｃに位相調整器を挿入して、線路長が長い第１の伝送線路３２ａ、３２ｄの電気信号と位相をあわせるようにしてもよい。位相調整器の挿入で位相を同調させる場合は、全ての配線パターンの線路長が異なっていても、適宜、位相調整器を挿入することで同調するよう調整することができる。
【符号の説明】
【００５９】
１、  光受信機
１０  光伝送路系統
１１  光伝送路
１２  光出力端子
１３  光入力端子
１４  第１の光伝送路
１５  光分岐カプラ
１６ａ、１６ｂ、１６ｃ、１６ｄ  第２の光伝送路
１７ａ、１７ｂ、１７ｃ、１７ｄ、２４ａ、２４ｂ、２４ｃ、２４ｄ  光コネクタ
２０  筐体
２１  ベース部
２２  カバー部
２３  端子孔
３０  回路基板
３１ａ  第１の光電変換回路
３１ｂ  第２の光電変換回路
３１ｃ  第３の光電変換回路
３１ｄ  第４の光電変換回路
３２ａ、３２ｂ、３２ｃ、３２ｄ  第１の伝送線路
３３  電気信号合成部
３４  第２の伝送線路
３５  出力端子
４０  伝送線路
【図１】
2014116858.tif 000003
【図２】
2014116858.tif 000004